【事件の表示】
　平成１１年特許願第２５９７７６号「輪転印刷機における版挿入装置」拒絶査定不服審判事件〔平成１３年　３月２７日出願公開、特開２００１−　８００４４〕について、次のとおり審決する。
【結　論】
　本件審判の請求は、成り立たない。
【理　由】
１．手続の経緯
　本願は、平成１１年９月１４日に出願したものであって、平成１２年９月１８日付け及び平成１９年８月１３日付けで手続補正がなされ、平成１９年９月２７日付けで拒絶査定がなされ、これに対し、同年１１月１日付けで拒絶査定に対する審判請求がなされたものである。
　
２．本願発明
　本願請求項１〜４に係る発明は、平成１９年８月１３日付け手続補正で補正された明細書の特許請求の範囲の請求項１〜４に記載された事項により特定されるものであり、その請求項１に係る発明（以下、「本願発明」という。）は、以下のとおりである。
「版胴の版固定装置に設けた基準ピンに刷版を位置決めしながら挿入する輪転印刷機における版挿入装置において、刷版を保持する版保持器と、この版保持器を版挿入位置に移動させる移動手段とを備え、前記移動手段によって前記版保持器を版挿入位置に位置付けることにより、刷版を前記基準ピンに一定圧以上で押圧することを特徴とする輪転印刷機における版挿入装置。」
　
３．引用刊行物
　ａ．原査定の拒絶の理由に引用された刊行物である特開平６−１３４９７４号公報（以下、「刊行物１」という。）には、以下の記載が図示とともにある。
　ア．【０００１】
【産業上の利用分野】本発明は印刷機において、刷版保持装置に保持させた刷版を、版胴の刷版固定装置に両端を固定させ胴周に巻付けるように供給する刷版供給装置に関するものである。
　イ．【０００３】この種の版万力は、胴軸方向に延びる長尺の万力台と、この万力台に揺動自在に枢支されカムなどで駆動されて揺動することにより開閉して万力台との間で版をくわえるくわえ板とを備えている。そして、万力台のくわえ面には、版の端縁に設けられた位置決め用の切欠きと係合する基準ピンが設けられている。
　ウ．【００４９】さらに、図１および図１２において、左右の側板４０には、エアシリンダ１０５が固定されており、そのピストンロッド１０６の作用端に固定されたブラケット１０７には、吸引エア源に接続された吸口１０８が装着されている。こうすることにより、図に実線で示す後退位置にある吸口１０８が、切欠きを第２基準ピン９４に係合させた新版９２を吸着しているときに、ピストンロッド１０６が前進すると、吸口１０８が鎖線位置へ移動して新版９２がくわえ側版万力５のくわえ面に挿入されるように構成されている。なお、この移動に際しては、第２基準ピン９４が自動的にピン孔内へ没入するように構成されている。
　エ．【００５９】前述した旧版５９の排出が終わると、版胴３はくわえ側版万力５がローダ３６の先端部に対向する位置までわずかに回動して停止すると同時に、エアシリンダ１０５のピストンロッド１０６が前進してその作用端にに固定されたブラケット１０７とこれに装着された吸口１０８が実線位置から鎖線位置まで移動するので吸口１０８に吸着されている新版９２が移動し、そのくわえ側端部がくわえ側版万力５のくわえ面に挿入されて新版９２の切欠きが基準ピンと係合する。
　
　上記記載及び図面を含む刊行物１全体の記載から、刊行物１には、以下の発明が開示されていると認められる。
「版胴の版万力に設けた基準ピンに、版の端縁に設けられた位置決め用の切欠きを係合させる印刷機における刷版供給装置において、エアシリンダ１０５のピストンロッド１０６の作用端に固定されたブラケット１０７には、吸引エア源に接続された吸口１０８が装着されており、エアシリンダ１０５のピストンロッド１０６が前進してその作用端に固定されたブラケット１０７とこれに装着された吸口１０８が移動するので吸口１０８に吸着されている新版９２が移動し、そのくわえ側端部がくわえ側版万力５のくわえ面に挿入されて新版９２の切欠きが基準ピンと係合する印刷機における刷版供給装置。」（以下、「引用発明」という。）
　
　ｂ．原査定の拒絶の理由に引用された刊行物である特開昭６３−１１４６５２号公報（以下、「刊行物２」という。）には、以下の記載が図示とともにある。
　
　オ．「従って、搬送手段Ｔによって紙送り点に搬送された印刷用紙Ｐはその裏面側が前記吸着孔４３によって吸着されるとともに、同印刷用紙Ｐの前端が用紙吸着面４２より進行方向に若干飛び出した状態で吸着され、圧胴２と同一面上に保持されてブラン胴１３方向に送られる。
　一方、仰臥位置にある位置決め部材４６のカムフォロワ５２は、固定カム５３のカム面５４上を転勤し、印刷用紙が紙送り点と印刷点とのほぼ中間に達すると、固定カム５３の作用突面５５上に達する。すると、位置決め部材４６は仰臥位置から起立位置に移動し、その当接板５０が印刷用紙Ｐの前端に当接する。従って、印刷用紙Ｐはその前端が前記位置決め部材４６の押圧によって圧胴２の回転方向とは反対の方向に微小距離だけ移動し、印刷用紙Ｐの位置決めを行う。このとき、前記エア吸引装置に設けられたバルブによって吸着孔４３の吸引力が調節されているため、印刷用紙Ｐの移動が円滑に行われるとともに、印刷用紙Ｐの先端が折れ曲がることを防止している。」（第５頁右上欄第第８行〜左下欄第７行）
　
　上記記載及び図面を含む刊行物２全体の記載から、刊行物２には、以下の事項が開示されていると認められる。
「圧胴２は、印刷用紙Ｐの前端が位置決め部材４６の当接板５０に当接すると移動が円滑に行われるように吸引力が調整されている吸着孔４３を有しており、印刷用紙Ｐに対して圧胴２の吸着孔４３の移動が円滑に行われながら、印刷用紙Ｐの先端が位置決め部材４６の当接板５０に押し付けられて位置決めされること」
　
４．対比
　本願発明と引用発明とを比較すると、引用発明の「版胴」、「『版万力』及び『くわえ側版万力５』」、「基準ピン」、「『版』及び『新版９２』」、「印刷機における刷版供給装置」、「『吸引エア源に接続された吸口１０８が装着されて』いる『ブラケット１０７』」、「エアシリンダ１０５」は、それぞれ本願発明の「版胴」、「版固定装置」、「基準ピン」、「刷版」、「輪転印刷機における版挿入装置」、「刷版を保持する版保持器」、「移動手段」に相当する。
　引用発明は、「新版９２が移動し、そのくわえ側端部がくわえ側版万力５のくわえ面に挿入されて新版９２の切欠きが基準ピンと係合する」から、基準ピンに刷版を位置決めしながら挿入するものといえる。
　引用発明の「エアシリンダ１０５」は、「ピストンロッド１０６が前進してその作用端に固定されたブラケット１０７とこれに装着された吸口１０８が移動するので吸口１０８に吸着されている新版９２が移動し、そのくわえ側端部がくわえ側版万力５のくわえ面に挿入され」るから、ブラケット１０７（版保持器）を版挿入位置に移動させるものといえる。
　よって、両者は、
「版胴の版固定装置に設けた基準ピンに刷版を位置決めしながら挿入する輪転印刷機における版挿入装置において、刷版を保持する版保持器と、この版保持器を版挿入位置に移動させる移動手段とを備える輪転印刷機における版挿入装置。」
の点で一致し、以下の点で相違している。
［相違点］本願発明は、「前記移動手段によって前記版保持器を版挿入位置に位置付けることにより、刷版を前記基準ピンに一定圧以上で押圧する」と特定されているのに対し、引用発明は、本願発明のようなものであるか否か明らかでない点。
　
５．判断
　上記相違点について検討する。
　本願発明の上記相違点は作用的な記載であるため、この記載によって「輪転印刷機における版挿入装置」の構成がどのように限定されるのか必ずしも明らかではないが、本願明細書には、以下の記載がある。
　「【００３２】
　Ｓ２０において、版保持器用第２のアクチュエータ４３Ｂが作動すると、図１３に示すように、版保持器４１がガイドレール４２の直線部４２ｂを移動し、第３の位置Ｃ点に位置付けられる。このとき、直線部４２ｂの傾きと、くわえ側版万力２５の万力台２５ａの上端面の傾きとが略同一であり、直線部４２ｂに位置付けられている版保持器４１の吸着パッド４５の吸着面の延長上に万力台２５ａの上端面が位置付けられているので、吸着パッド４５に吸着された新版Ｐ２のくわえ側が万力台２５ａとくわえ板２５ｂとの間に挿入される。このとき、新版Ｐ２の切欠き７が基準ピン２７に一定圧以上に押圧されるように、版保持器４１が第３の位置Ｃ点に位置付けられる。ここで、新版Ｐ２の切欠き７が基準ピン２７に係合すると、上述したように、新版Ｐ２が吸着パッド４５に対して摺動自在となるように吸着される程度に、吸引ポンプ８６による吸引力が調整されている。したがって、新版Ｐ２に対して吸着パッド４５が摺動しながら、新版Ｐ２の切欠き７が基準ピン２７に押し付けられるので、新版Ｐ２はくわえ側万力２５に位置決めされる。」
　そうすると、本願発明の版保持器は、刷版の切欠きが基準ピンに係合すると摺動自在となるように吸引力が調整されている吸着パッドを有しており、刷版に対して吸着パッドが摺動しながら、刷版の切欠きが基準ピンに押し付けられるものを含んでいるものと認められる。
　引用発明のブラケット１０７（版保持器）には、吸引エア源に接続された吸口１０８（吸着パッド）が装着されているものであるが、該吸口の吸引力がどのように調整されているものであるか明らかではない。
　しかしながら、引用発明において、基準ピンに対し、位置決め用の切欠きを確実に当接させ、正確に位置決めすべきことは自明の課題であって、シート状物の位置決めに関し、刊行物２には、圧胴２（「シート状部材保持器」の点で本願発明の「版保持器」及び引用発明の「ブラケット１０７」と共通する。）は、印刷用紙Ｐの前端（「シート状部材の当接部分」の点で本願発明の「刷版の切欠き」及び引用発明の「位置決め用の切欠き」と共通する。）が位置決め部材４６の当接板５０（「シート状部材を位置決めする基準部材」の点で本願発明及び引用発明の「基準ピン」と共通する。）に当接すると移動が円滑に行われる（本願発明の（摺動自在となる）に相当する。）ように吸引力が調整されている吸着孔４３（「吸着手段」の点で本願発明の「吸着パッド」及び引用発明の「吸口１０８」と共通する。）を有しており、印刷用紙Ｐ（「シート状部材」の点で本願発明の「刷版」及び引用発明の「『版』及び『新版９２』」と共通する。）に対して圧胴２の吸着孔４３の移動が円滑に行われながら、印刷用紙Ｐの先端が位置決め部材４６の当接板５０に押し付けられて位置決めされることが記載されているから、位置決め用の切欠きを確実に当接させ、正確に位置決めすべく、引用発明に刊行物２記載の事項を適用し、引用発明の「吸引エア源に接続された吸口１０８」の吸引力を新版９２（刷版）の切欠きが基準ピンに係合すると摺動自在となるように調整し、新版９２（刷版）に対して吸口１０８（吸着パッド）が摺動しながら、位置決め用の切欠き（刷版の切欠き）が基準ピンに押し付けられるようなものとすることは、当業者が容易になし得る程度のことである。
　そうすると、上記本願発明の相違点に含まれる構成となる。
　
　以上のとおりであるから、本願発明の相違点に係る構成は、引用発明及び刊行物２記載の事項に基づいて当業者が容易に想到することができたものであり、それにより得られる効果も当業者が予測できる範囲のものである。
　
　なお、請求人は、審判請求書において「また、引用文献２に記載された発明には、圧胴内に設けられ給紙された用紙を吸着保持するサッカー部材３２と、給紙された用紙の端面に当接し紙の位置決めを行う当接板５０とを備えた圧胴における用紙配置装置が開示されている。 
 　しかしながら、この引用文献２に記載された発明は、圧胴における用紙配置装置に係るものであって、新版を版胴の版固定装置に挿入する版挿入装置に係る本願発明と異なる技術分野のものである。」と主張するが、刊行物１及び２は、いずれもシート状部材保持器で保持するシート状部材の当接部分をシート状部材を位置決めする基準部材に互いに当接する技術に関するものであるから、引用発明に刊行物２記載の事項を適用することは、当業者が容易になし得る程度のことである。
　
６．むすび
　以上のとおり、本願発明は、引用発明及び刊行物２記載の事項に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。